(57)【特許請求の範囲】
【請求項１】
内部に第一収容空間が形成され、前記第一収容空間が開口する第一開口部を有する第一筐体と、前記第一筐体に設けられ、前記第一開口部を閉塞可能な第一扉と、を備える耐火庫と、
前記第一収容空間内に配置された防水庫と、
を備え、
前記防水庫は、
内部に第二収容空間が形成され、前記第二収容空間が前記第一開口部に向かって開口する第二開口部を有する第二筐体と、
前記第二筐体に設けられ、前記第二開口部を閉塞可能な第二扉と、
前記第二筐体と前記第二扉との隙間から前記第二収容空間内への水の浸入を防止する防水部と、
を備え、
前記防水部は、
前記第二開口部の周縁部と前記第二扉との間に設けられ、弾性変形可能な弾性部材と、
前記第二扉が前記弾性部材を前記第二開口部に向かって押圧した状態を維持する押圧手段と、
を有し、
前記弾性部材に並列するように前記第二筐体に設けられ、前記弾性部材の剛性よりも大きい剛性を有する第一補強部材をさらに備え、
前記第二開口部の開口は、前記耐火庫の前後方向に開口しており、
前記第二開口部の前記周縁部は、前記第二扉が前記第二開口部を閉塞した状態において前記第二扉に対向する第一面を有し、
前記弾性部材は、前記第一面上に設けられ、
前記第一補強部材は、前記第二扉が前記第二開口部を閉塞した状態において前記第二扉と対向する位置で前記第一面から前記前後方向に前記第一開口部に向かって延出しており、
弾性変形していない状態における前記弾性部材の前記前後方向の寸法は、前記第一補強部材の前記第一面から延出した前記前後方向の寸法より大きい
二重保管庫。
【請求項２】
請求項１に記載の二重保管庫であって、
前記第二開口部の前記周縁部は、前記第一面とは前記前後方向に反対側の第二面をさらに有し、
前記第二筐体は、
前記第二開口部から前記第二収容空間側へ前記前後方向に延びる筐体壁と、
第一端が前記周縁部の前記第二面に固定され、第二端が前記筐体壁における前記第二収容空間側の面に固定され、前記第一端から前記第二端に延びて形成された第二補強部材と、
をさらに有する二重保管庫。
【請求項３】
請求項２に記載の二重保管庫であって、
前記第二補強部材は、前記第一端から前記第二面上を前記筐体壁に向かって延びて形成され、前記筐体壁と接触する第三端を有する第一部分と、前記第一部分の前記第三端から前記筐体壁の前記面上を前記第二端まで延びて形成された第二部分と、を有する補強部を有する
二重保管庫。
【請求項４】
請求項１から３のいずれか一項に記載の二重保管庫であって、
前記押圧手段は、
前記第二扉に回動可能に設けられたハンドル部と、
前記第二筐体に設けられ、前記ハンドル部と係合可能なハンドル受け部と、
前記ハンドル部と前記ハンドル受け部とが係合した状態における前記ハンドル部と前記ハンドル受け部との前記前後方向の相対位置を調整可能な位置調整手段と、
を有する二重保管庫。
【請求項５】
内部に第一収容空間が形成され、前記第一収容空間が開口する第一開口部を有する第一筐体と、前記第一筐体に設けられ、前記第一開口部を閉塞可能な第一扉と、を備える耐火庫と、
前記第一収容空間内に配置された防水庫と、
を備え、
前記防水庫は、
内部に第二収容空間が形成され、前記第二収容空間が前記第一開口部に向かって開口する第二開口部を有する第二筐体と、
前記第二筐体に設けられ、前記第二開口部を閉塞可能な第二扉と、
前記第二筐体と前記第二扉との隙間から前記第二収容空間内への水の浸入を防止する防水部と、
を備え、
前記第一収容空間内において前記第二筐体の上側に設けられ、前記第二筐体を前記第一筐体に対して固定する固定手段をさらに備え、
前記固定手段は、
前記第一筐体の上面と当接する当接部と、
上下方向に沿って延びて前記当接部に下側から接続されるとともに、表面にネジ山が形成されたシャフト部と、
前記シャフト部に螺合し、前記第二筐体の上部筐体壁に固定される固定ナットと、を有する
二重保管庫。
【発明の詳細な説明】
【技術分野】
【０００１】
本発明は、二重保管庫に関する。
【背景技術】
【０００２】
従来、重要書類や貴金属類などを収納する保管庫、いわゆる金庫として、耐火庫が知られている。さらに、耐火庫において、耐火断熱壁で構成された本体内にさらに二次庫を収容するように構成されたいわゆる二重耐火庫（二重保管庫）が広く利用されている。このような二重保管庫として、例えば特許文献１から３に開示されたものがある。
【０００３】
特許文献１に記載された二重保管庫は、耐火庫であって、外扉が取り付けられた外庫容体と、内扉が取り付けられた内庫容体と、を備える。内庫容体は、内庫容体の前面周縁部に固設された額縁状を呈する支持枠を介して、外庫容体の内部に収装固定されている。また、この耐火庫は、支持枠の前面部全体に断熱用パッキンが装着され、閉扉状態にある外扉の内面周縁部と外庫容体との間隙部を、この断熱用パッキンを介して密封可能に構成されている。内扉と内庫容体との間には、断熱パッキンが付設されている。
【０００４】
特許文献２に記載された二重保管庫は、耐火庫であって、外扉を有する本体と、本体内に配設され、容体と内扉とを有する内庫と、を備える。本体と外扉との間には断熱用パッキンは設けられておらず、本体における開口部の内周縁には、外扉の外周縁が嵌合するジグザグ状の煙返し部が形成されている。また、内庫の内扉と容体との間にはパッキンが設けられており、内庫は内扉と容体との開口部がパッキンにより密閉されるように構成されている。
【０００５】
特許文献３に記載された二重保管庫は、電子記憶媒体用耐火金庫であって、一般紙用耐火金庫の性能を有する構造の一次庫と、一次庫の中に組み込まれた二次庫と、を備える。一次庫は、一次庫周壁と、一次庫周壁に蝶番を介して接続された一次庫扉と、を有する。二次庫は、二次庫周壁と、二次庫周壁の開口を塞ぐ二次庫扉と、を有する。一次庫扉には、ハンドルを有するロック機構が設けられている。このロック機構により、二次庫扉は、二次庫扉と二次庫周壁との間に設けられたシリコンゴムパッキンに押し付けられ、密閉される。
【先行技術文献】
【特許文献】
【０００６】
【特許文献１】実公昭５５−７６６９号公報
【特許文献２】実公昭６１−３６７１２号公報
【特許文献３】特開２００３−２０１７９０号公報
【発明の概要】
【発明が解決しようとする課題】
【０００７】
近年、台風や集中豪雨による洪水や浸水などの懸念が高まっており、耐火性だけでなく保管庫内に水が浸入することを防止する防水性も有する保管庫の要望が高まっている。しかしながら、特許文献１から３に記載された従来の二重保管庫は、いずれも耐火庫であり、その外庫および内庫ともに耐火性や断熱性を高めるように構成されている。すなわち、これらの二重保管庫では、大量の水が外庫の筐体内に浸入してきた場合に、その水が内庫の筐体内に浸入することを防止する防水性が考慮されていない。
【０００８】
例えば、特許文献１および２に記載された二重保管庫では、内扉と内庫容体との間に断熱パッキンが設けられているが、断熱パッキンを十分に押圧して内庫の浸水に対する気密性をより高める機構が備えられていない。通常、断熱パッキンは火災などによる周囲の温度上昇により膨張することで、内扉と内庫容体との隙間をより密閉するように構成されている。したがって、浸水時などのように周囲が低温である場合には、この断熱パッキンが設けられていても十分に押圧されていなければ、防水性が得られない可能性がある。
【０００９】
また、特許文献３に記載された二重保管庫では、ロック機構により二次庫扉を押し付ける際に、一次庫扉を閉じた状態でハンドルを操作する。すなわち、この二重保管庫は、視認できない状態の二次庫扉をシリコンゴムパッキンに押し付ける構成を有するため、ロック機構の組み付け精度や二次庫扉の成型精度などによっては、二次庫扉をシリコンゴムパッキンに十分に押し付けられない可能性がある。このため、この二重保管庫では防水性が得られない可能性がある。
【００１０】
本発明は、耐火性能を有するとともに、大量の水が外庫の筐体内に浸入してきた場合に、その水が内庫の筐体内に浸入することを防止することで、内部の収容物を防水することが可能な二重保管庫を提供することを目的とする。
【課題を解決するための手段】
【００１１】
本発明の一態様によれば、二重保管庫は、内部に第一収容空間が形成され、前記第一収容空間が開口する第一開口部を有する第一筐体と、前記第一筐体に設けられ、前記第一開口部を閉塞可能な第一扉と、を備える耐火庫と、前記第一収容空間内に配置された防水庫と、を備える。前記防水庫は、内部に第二収容空間が形成され、前記第二収容空間が前記第一開口部に向かって開口する第二開口部を有する第二筐体と、前記第二筐体に設けられ、前記第二開口部を閉塞可能な第二扉と、前記第二筐体と前記第二扉との隙間から前記第二収容空間内への水の浸入を防止する防水部と、を備える。前記防水部は、前記第二開口部の周縁部と前記第二扉との間に設けられ、弾性変形可能な弾性部材と、前記第二扉が前記弾性部材を前記第二開口部に向かって押圧した状態を維持する押圧手段と、を有する。前記弾性部材に並列するように前記第二筐体に設けられ、前記弾性部材の剛性よりも大きい剛性を有する第一補強部材をさらに備える。前記第二開口部の開口は、前記耐火庫の前後方向に開口している。前記第二開口部の前記周縁部は、前記第二扉が前記第二開口部を閉塞した状態において前記第二扉に対向する第一面を有する。前記弾性部材は、前記第一面上に設けられている。前記第一補強部材は、前記第二扉が前記第二開口部を閉塞した状態において前記第二扉と対向する位置で前記第一面から前記前後方向に前記第一開口部に向かって延出している。弾性変形していない状態における前記弾性部材の前記前後方向の寸法は、前記第一補強部材の前記第一面から延出した前記前後方向の寸法より大きい。
【００１２】
上記の二重保管庫によれば、保管すべき収容物が収容される防水庫は耐火庫の第一収容空間内に配置されているため、この二重保管庫は耐火性を有する。同時に、耐火庫により第一収容空間内に配置された防水庫に向かう水の勢いが妨げられるため、防水庫の防水性を高めることができる。また、防水庫の防水部により収容物が収容される第二収容空間内への水の浸入が防止されるため、内部の収容物を防水することができる。
防水部は、第二開口部の周縁部と第二扉との間に設けられ、弾性変形可能な弾性部材と、第二扉が弾性部材を第二開口部に向かって押圧した状態を維持する押圧手段と、を有する。したがって、弾性部材が押圧されることにより第二開口部の周縁部と第二扉との間を密閉し、押圧手段により第二扉が弾性部材を第二開口部に向かって押圧した状態が維持されるため、第二筐体と第二扉との隙間から第二収容空間内への水の浸入を防止することができる。
弾性部材の剛性よりも大きい剛性を有する第一補強部材が弾性部材に並列するように第二筐体に設けられ、この第一補強部材は、第二扉が第二開口部を閉塞した状態において第二扉と対向する位置で周縁部の第一面から前後方向に第一開口部に向かって延出している。さらに、弾性変形していない状態における弾性部材の前後方向の寸法は、第一補強部材の第一面から延出した前後方向の寸法より大きい。したがって、第二扉により過大な力で弾性部材が第二開口部に向かって押圧された場合に、弾性部材が前後方向に収縮するように所定量弾性変形すると、第二扉は第一補強部材と接触する。これにより、弾性部材がそれ以上弾性変形することが防止されるため、弾性部材が塑性変形するなど意図しない変形を防止することができる。
【００１７】
上記の二重保管庫において、前記第二開口部の前記周縁部は、前記第一面とは前記前後方向に反対側の第二面をさらに有してもよい。前記第二筐体は、前記第二開口部から前記第二収容空間側へ前記前後方向に延びる筐体壁と、第一端が前記周縁部の前記第二面に固定され、第二端が前記筐体壁における前記第二収容空間側の面に固定され、前記第一端から前記第二端に延びて形成された第二補強部材と、をさらに有してもよい。
【００１８】
上記の二重保管庫によれば、第二筐体は、第一端が周縁部の第二面に固定され、第二端が筐体壁における第二収容空間側の面に固定され、第一端から第二端に延びて形成された第二補強部材をさらに有する。したがって、第二補強部材により第二開口部の周縁部が補強されるため、第二開口部の剛性を高めることができる。これによって、第二筐体と第二扉との間に隙間が生じるなどの問題が発生することを防止し、第二筐体内への水の浸入をより確実に防止することができる。
【００１９】
上記の二重保管庫において、前記第二補強部材は、前記第一端から前記第二面上を前記筐体壁に向かって延びて形成され、前記筐体壁と接触する第三端を有する第一部分と、前記第一部分の前記第三端から前記筐体壁の前記面上を前記第二端まで延びて形成された第二部分と、を有する補強部を有してもよい。
【００２０】
上記の二重保管庫によれば、第二補強部材は、第一端から第二面上を筐体壁に向かって延びて形成され、筐体壁と接触する第三端を有する第一部分と、第一部分の第三端から筐体壁の面上を第二端まで延びて形成された第二部分と、を有する補強部を有する。したがって、補強部を有する第二補強部材により第二開口部の周縁部が補強されるため、第二開口部の剛性を高めることができる。これによって、第二筐体と第二扉との間に隙間が生じるなどの問題が発生することを防止し、第二筐体内への水の浸入をより確実に防止することができる。
【００２１】
上記の二重保管庫において、前記押圧手段は、前記第二扉に回動可能に設けられたハンドル部と、前記第二筐体に設けられ、前記ハンドル部と係合可能なハンドル受け部と、前記ハンドル部と前記ハンドル受け部とが係合した状態における前記ハンドル部と前記ハンドル受け部との前記前後方向の相対位置を調整可能な位置調整手段と、を有してもよい。
【００２２】
上記の二重保管庫によれば、使用による劣化などにより弾性部材の前後方向の寸法が小さくなった場合でも、位置調整手段によりハンドル部とハンドル受け部とが係合した状態におけるハンドル部とハンドル受け部との前後方向の相対位置を調整することで、押圧手段は第二扉が弾性部材を第二開口部に向かって押圧した状態を維持することができ、第二開口部の周縁部と第二扉との間を適切に密閉することができる。
【００３１】
本発明の一態様によれば、二重保管庫は、内部に第一収容空間が形成され、前記第一収容空間が開口する第一開口部を有する第一筐体と、前記第一筐体に設けられ、前記第一開口部を閉塞可能な第一扉と、を備える耐火庫と、前記第一収容空間内に配置された防水庫と、を備える。前記防水庫は、内部に第二収容空間が形成され、前記第二収容空間が前記第一開口部に向かって開口する第二開口部を有する第二筐体と、前記第二筐体に設けられ、前記第二開口部を閉塞可能な第二扉と、前記第二筐体と前記第二扉との隙間から前記第二収容空間内への水の浸入を防止する防水部と、を備える。前記第一収容空間内において前記第二筐体の上側に設けられ、前記第二筐体を前記第一筐体に対して固定する固定手段をさらに備える。前記固定手段は、前記第一筐体の上面と当接する当接部と、上下方向に沿って延びて前記当接部に下側から接続されるとともに、表面にネジ山が形成されたシャフト部と、前記シャフト部に螺合し、前記第二筐体の上部筐体壁に固定される固定ナットと、を有する。
【００３２】
上記の二重保管庫によれば、第二筐体の自重のみにより第二筐体が第一筐体に対して固定される場合に比べて、固定手段により第二筐体をより確実に第一筐体に対して固定することができる。
【発明の効果】
【００３３】
上記の二重保管庫によれば、保管すべき収容物が収容される防水庫は耐火庫の第一収容空間内に配置されているため、この二重保管庫は耐火性を有する。同時に、耐火庫により第一収容空間内に配置された防水庫に向かう水の勢いが妨げられるため、防水庫の防水性を高めることができる。また、防水庫の防水部により収容物が収容される第二収容空間内への水の浸入が防止されるため、内部の収容物を防水することができる。
【図面の簡単な説明】
【００３４】
【図１】本発明の第一実施形態に係る二重保管庫の正面図である。
【図２】前記二重保管庫の第一扉が開いた状態を示す図である。
【図３】前記二重保管庫の第二扉が開いた状態を示す図である。
【図４】図１のＡ−Ａ線における断面図である。
【図５】図４のＢ−Ｂ線における断面図である。
【図６】図５のＳ部分を拡大して示す図である。
【図７】図４のＰ部分を拡大して示す図である。
【図８】図４のＱ部分を拡大して示す図である。
【図９】図５のＲ部分を拡大して示す図である。
【図１０】第一実施形態に係る二重保管庫の変形例を示す図である。
【図１１】本発明の第二実施形態に係る二重保管庫を示す図である。
【発明を実施するための形態】
【００３５】
（第一実施形態）
以下、本発明の第一実施形態について、図１から図９を参照して説明する。
【００３６】
図１は、本実施形態に係る二重保管庫１の正面図である。図２は、二重保管庫１の第一扉１３が開いた状態を示す図である。図３は、二重保管庫１の第二扉４４が開いた状態を示す図である。図４は、図１のＡ−Ａ線における断面図である。図５は、図４のＢ−Ｂ線における断面図である。
【００３７】
なお、以下の説明において、図１に示された二重保管庫１が設置される設置面ＦＬに垂直な方向を、上下方向Ｄｖと称する。図１に示された二重保管庫１における水平方向を、左右方向Ｄｈと称する。上下方向Ｄｖおよび左右方向Ｄｈの各々に対して直交する方向を、前後方向Ｄｆと称する。
【００３８】
図１から図５に示すように、二重保管庫１は、耐火庫１０と防水庫４０とを備える。耐火庫１０は、内部に第一収容空間１６が形成され、第一収容空間１６が開口する第一開口部１８を有する第一筐体１２と、第一筐体１２に設けられ、第一開口部１８を閉塞可能な第一扉１３と、を備える。防水庫４０は、第一収容空間１６内に配置されている。
【００３９】
本実施形態では、第一筐体１２は箱形に形成されており、その内部に第一収容空間１６が形成されている。第一筐体１２は前後方向Ｄｆにおける一方の端部１２Ａのみが開口するように構成されており、この端部１２Ａに第一開口部１８が形成されている。第一開口部１８には、第一収容空間１６が前後方向Ｄｆに開口した開口１８Ａが形成されている。また、第一開口部１８は、第一筐体１２の端部１２Ａに設けられ、開口１８Ａを前後方向Ｄｆ回りに囲むように形成された周縁部２０を有する。
【００４０】
第一筐体１２の筐体壁は、金属製の板材により表面が構成され、その内部に水分を含むコンクリートが充填されて構成されている。このコンクリートは耐火材として機能する。火災発生時に外部温度が上昇した際には、コンクリートに含まれる水分が気化し、この気化熱により第一収容空間１６内の温度の上昇を緩和させる。
【００４１】
第一筐体１２の端部１２Ａには、第一開口部１８を閉塞可能な第一扉１３が設けられている。本実施形態では、第一扉１３は、左扉体（第一扉体、第二扉体）１４と右扉体（第一扉体、第二扉体）１５とから構成される両開き扉である。第一扉１３は、左扉体１４が第一開口部１８の左右方向Ｄｈにおける左側半分を閉塞可能であり、右扉体１５が第一開口部１８の左右方向Ｄｈにおける右側半分を閉塞可能であるように構成されている。左扉体１４は、第一筐体１２の端部１２Ａにおける左右方向Ｄｈの左側端部（第一端部、第二端部）１２ＡＬに支持されている。より詳細には、左扉体１４の左側端部１４Ｌと第一筐体１２の左側端部１２ＡＬとの間に、左側端部１４Ｌと左側端部１２ＡＬとを接続する蝶番２２Ｌが設けられている。蝶番２２Ｌは、上下方向Ｄｖに平行な回動中心Ｏ２２Ｌを有する。よって、左扉体１４の左側端部１４Ｌは、蝶番２２Ｌを介して回動中心Ｏ２２Ｌ回りに回動可能に第一筐体１２の左側端部１２ＡＬに支持されている。また、右扉体１５は、左側端部１２ＡＬとは異なる第一筐体１２の端部１２Ａにおける左右方向Ｄｈの右側端部（第一端部、第二端部）１２ＡＲに支持されている。より詳細には、右扉体１５の右側端部１５Ｒと第一筐体１２の右側端部１２ＡＲとの間に、右側端部１５Ｒと右側端部１２ＡＲとを接続する蝶番２２Ｒが設けられている。蝶番２２Ｒは、上下方向Ｄｖに平行な回動中心Ｏ２２Ｒを有する。よって、右扉体１５の右側端部１５Ｒは、蝶番２２Ｒを介して回動中心Ｏ２２Ｒ回りに回動可能に第一筐体１２の右側端部１２ＡＲに支持されている。
【００４２】
なお、左扉体１４の背面（第一開口部１８を向く面）１４ｂは、第一筐体１２の第一収容空間１６側の上面１２ｔに固定された規制部材２３Ｌに接続されている。規制部材２３Ｌは左扉体１４の回動範囲を規制しており、規制部材２３Ｌにより左扉体１４は所定の範囲内で回動中心Ｏ２２Ｌ回りに回動可能である。同様に、右扉体１５の背面（第一開口部１８を向く面）１５ｂは、第一筐体１２の第一収容空間１６側の上面１２ｔに固定された規制部材２３Ｒに接続されている。規制部材２３Ｒは、右扉体１５が所定の範囲内で回動中心Ｏ２２Ｒ回りに回動するように規制している。規制部材２３Ｌおよび規制部材２３Ｒは、公知の構成を採用することができる。
【００４３】
第一筐体１２の筐体壁と同様に、第一扉１３の左扉体１４および右扉体１５は、金属製の板材により表面が構成され、その内部に水分を含むコンクリートが充填されて構成されている。このコンクリートは耐火材として機能する。火災発生時に外部温度が上昇した際には、コンクリートに含まれる水分が気化し、この気化熱により第一収容空間１６内の温度の上昇を緩和させる。
【００４４】
第一扉１３が第一開口部１８を閉塞した状態において、第一扉１３の第一合わせ面１３Ｓと第一開口部１８の第二合わせ面１８Ｓとが対向している。第一合わせ面１３Ｓは、第一開口部１８に沿う複数の面２５により段状に構成され、第二合わせ面１８Ｓは、第一合わせ面１３Ｓに係合する段状に構成されている。
【００４５】
本実施形態では、第一合わせ面１３Ｓは、左扉体１４の上端部１４Ｔに形成された上部合わせ面１４ＳＴと、左扉体１４の下端部１４Ｂに形成された下部合わせ面１４ＳＢと、左扉体１４の左側端部１４Ｌに形成された左側部合わせ面１４ＳＬと、右扉体１５の上端部１５Ｔに形成された上部合わせ面１５ＳＴと、右扉体１５の下端部１５Ｂに形成された下部合わせ面１５ＳＢと、右扉体１５の右側端部１５Ｒに形成された右側部合わせ面１５ＳＲと、を含む。第二合わせ面１８Ｓは、第一開口部１８の周縁部２０の上側部分２０Ｔに形成された上部合わせ面２０ＳＴと、周縁部２０の下側部分２０Ｂに形成された下部合わせ面２０ＳＢと、周縁部２０の左側部分２０Ｌに形成された左側部合わせ面２０ＳＬと、周縁部２０の右側部分２０Ｒに形成された右側部合わせ面２０ＳＲと、を含む。第一扉１３が第一開口部１８を閉塞した状態において、左扉体１４の上部合わせ面１４ＳＴは、第一開口部１８の上部合わせ面２０ＳＴにおける左右方向Ｄｈの左側部分２０ＳＴＬと対向している。左扉体１４の下部合わせ面１４ＳＢは、第一開口部１８の下部合わせ面２０ＳＢにおける左右方向Ｄｈの左側部分２０ＳＢＬと対向している。左扉体１４の左側部合わせ面１４ＳＬは、第一開口部１８の左側部合わせ面２０ＳＬと対向している。右扉体１５の上部合わせ面１５ＳＴは、第一開口部１８の上部合わせ面２０ＳＴにおける左右方向Ｄｈの右側部分２０ＳＴＲと対向している。右扉体１５の下部合わせ面１５ＳＢは、第一開口部１８の下部合わせ面２０ＳＢにおける左右方向Ｄｈの右側部分２０ＳＢＲと対向している。右扉体１５の右側部合わせ面１５ＳＲは、第一開口部１８の右側部合わせ面２０ＳＲと対向している。
【００４６】
左扉体１４の上部合わせ面１４ＳＴは、上下方向Ｄｖおよび左右方向Ｄｈの各々に平行な複数の平面２６ｖｈと、左右方向Ｄｈおよび前後方向Ｄｆの各々に平行な複数の平面２６ｈｆと、により段状に構成されている。より詳細には、上部合わせ面１４ＳＴは、平面２６ｖｈと平面２６ｈｆとが交互に配置された段状に構成されている。第一開口部１８の上部合わせ面２０ＳＴの左側部分２０ＳＴＬは、左扉体１４の上部合わせ面１４ＳＴの形状に対応して、左扉体１４の上部合わせ面１４ＳＴに係合する段状に構成されている。また、右扉体１５の上部合わせ面１５ＳＴは、第一扉１３が第一開口部１８を閉塞した状態において、左扉体１４の上部合わせ面１４ＳＴの形状と左右方向Ｄｈに連続するような段状に構成されている。第一開口部１８の上部合わせ面２０ＳＴの右側部分２０ＳＴＲは、右扉体１５の上部合わせ面１５ＳＴの形状に対応して、右扉体１５の上部合わせ面１５ＳＴに係合する段状に構成されている。このため、第一開口部１８の上部合わせ面２０ＳＴの左側部分２０ＳＴＬと右側部分２０ＳＴＲとは、左右方向Ｄｈに同一の形状で連続する段状に構成されている。
【００４７】
同様に、左扉体１４の下部合わせ面１４ＳＢは、上下方向Ｄｖおよび左右方向Ｄｈの各々に平行な複数の平面２７ｖｈと、左右方向Ｄｈおよび前後方向Ｄｆの各々に平行な複数の平面２７ｈｆと、により段状に構成されている。より詳細には、下部合わせ面１４ＳＢは、平面２７ｖｈと平面２７ｈｆとが交互に配置された段状に構成されている。第一開口部１８の下部合わせ面２０ＳＢの左側部分２０ＳＢＬは、左扉体１４の下部合わせ面１４ＳＢの形状に対応して、左扉体１４の下部合わせ面１４ＳＢに係合する段状に構成されている。また、右扉体１５の下部合わせ面１５ＳＢは、第一扉１３が第一開口部１８を閉塞した状態において、左扉体１４の下部合わせ面１４ＳＢの形状と左右方向Ｄｈに連続するような段状に構成されている。第一開口部１８の下部合わせ面２０ＳＢの右側部分２０ＳＢＲは、右扉体１５の下部合わせ面１５ＳＢの形状に対応して、右扉体１５の下部合わせ面１５ＳＢに係合する段状に構成されている。このため、第一開口部１８の下部合わせ面２０ＳＢの左側部分２０ＳＢＬと右側部分２０ＳＢＲとは、左右方向Ｄｈに同一の形状で連続する段状に構成されている。
【００４８】
左扉体１４の左側部合わせ面１４ＳＬは、上下方向Ｄｖおよび左右方向Ｄｈの各々に平行な複数の平面２８ｖｈと、前後方向Ｄｆおよび上下方向Ｄｖの各々に平行な複数の平面２８ｆｖと、により段状に構成されている。より詳細には、左側部合わせ面１４ＳＬは、平面２８ｖｈと平面２８ｆｖとが交互に配置された段状に構成されている。第一開口部１８の左側部合わせ面２０ＳＬは、左扉体１４の左側部合わせ面１４ＳＬの形状に対応して、左扉体１４の左側部合わせ面１４ＳＬに係合する段状に構成されている。また、右扉体１５の右側部合わせ面１５ＳＲは、上下方向Ｄｖおよび左右方向Ｄｈの各々に平行な複数の平面２９ｖｈと、前後方向Ｄｆおよび上下方向Ｄｖの各々に平行な複数の平面２９ｆｖと、により段状に構成されている。より詳細には、右側部合わせ面１５ＳＲは、平面２９ｖｈと平面２９ｆｖとが交互に配置された段状に構成されている。第一開口部１８の右側部合わせ面２０ＳＲは、右扉体１５の右側部合わせ面１５ＳＲの形状に対応して、右扉体１５の右側部合わせ面１５ＳＲに係合する段状に構成されている。
【００４９】
第一扉１３の第一合わせ面１３Ｓおよび第一開口部１８の第二合わせ面１８Ｓが上述のように構成されていることにより、第一扉１３が第一開口部１８を閉塞した状態において第一合わせ面１３Ｓと第二合わせ面１８Ｓとの間に形成される隙間３１は、耐火庫１０の外部から第一収容空間１６に向かって直線状ではなく、ジグザグ状に形成される。隙間３１は、いわゆる煙返し部を構成する。このように構成された隙間３１では耐火庫１０の外部から第一収容空間１６に向かう流体に対する抵抗が大きくなるため、隙間３１に侵入する火炎の勢いを低減させることができる。さらに、コンクリートより気化した水分が隙間３１を通過して外部に噴出することで、火炎の侵入を防止することができる。加えて、洪水などによる浸水時には、上述の構成を有する隙間３１により、隙間３１から第一収容空間１６に浸入する水の勢いを低減することができる。
【００５０】
また、第一扉１３が第一開口部１８を閉塞した状態において、左扉体１４の右側端部１４Ｒに形成された右側部合わせ面（第三合わせ面、第四合わせ面）１４ＳＲと、右扉体１５の左側端部１５Ｌに形成された左側部合わせ面（第三合わせ面、第四合わせ面）１５ＳＬと、が対向している。左扉体１４の右側部合わせ面１４ＳＲは、複数の面３０により段状に構成され、右扉体１５の左側部合わせ面１５ＳＬは、左扉体１４の右側部合わせ面１４ＳＲに係合する段状に構成されている。
【００５１】
本実施形態では、左扉体１４の右側部合わせ面１４ＳＲは、前後方向Ｄｆおよび上下方向Ｄｖの各々に平行な平面３０ｆｖと、上下方向Ｄｖおよび左右方向Ｄｈの各々に平行な複数の平面３０ｖｈと、上下方向Ｄｖに平行であって左右方向Ｄｈおよび前後方向Ｄｆの各々に対して傾いた複数の平面３０ｖｉと、により段状に構成されている。より詳細には、右側部合わせ面１４ＳＲは、平面３０ｆｖに続いて平面３０ｖｈと平面３０ｖｉとが交互に配置された段状に構成されている。右扉体１５の左側部合わせ面１５ＳＬは、左扉体１４の右側部合わせ面１４ＳＲの形状に対応して、左扉体１４の右側部合わせ面１４ＳＲに係合する段状に構成されている。
【００５２】
右扉体１５の左側部合わせ面１５ＳＬおよび左扉体１４の右側部合わせ面１４ＳＲが上述のように構成されていることにより、第一扉１３が第一開口部１８を閉塞した状態において左側部合わせ面１５ＳＬと右側部合わせ面１４ＳＲとの間に形成される隙間３２は、隙間３１と同様に、耐火庫１０の外部から第一収容空間１６に向かって直線状ではなく、ジグザグ状に形成される。隙間３２は、いわゆる煙返し部を構成する。このように構成された隙間３２では耐火庫１０の外部から第一収容空間１６に向かう流体に対する抵抗が大きくなるため、隙間３２に侵入する火炎の勢いを低減させることができる。さらに、コンクリートより気化した水分が隙間３２を通過して外部に噴出することで、火炎の侵入を防止することができる。加えて、洪水などによる浸水時には、上述の構成を有する隙間３２により、隙間３２から第一収容空間１６に浸入する水の勢いを低減することができる。
【００５３】
なお、上述した複数の面２５および複数の面３０の構成は一例であり、これに限られない。
【００５４】
左扉体１４の背面１４ｂに対して前後方向Ｄｆに反対側の面である前面１４ｆには、前面１４ｆから背面１４ｂ側に凹んで形成された指掛け部３３が設けられている。右扉体１５の背面１５ｂに対して前後方向Ｄｆに反対側の面である前面１５ｆには、前面１５ｆから背面１５ｂ側に凹んで形成された指掛け部３４が設けられている。指掛け部３３および指掛け部３４は、第一扉１３の左扉体１４および右扉体１５を開閉する際に使用される。
【００５５】
耐火庫１０の下部には、平板状に形成された基台部３５が設けられている。耐火庫１０は、基台部３５を介して設置面ＦＬに固定されている。なお、基台部３５の構成は、平板に限られない。例えば、基台部３５は、前後方向Ｄｆに延びる複数の角状部材から構成されていてもよい。また、耐火庫１０の上部には、耐火庫１０の上部を覆う平板状に形成された天板３６が設けられている。なお、基台部３５および天板３６は必須の構成ではなく、耐火庫１０にこれらの構成が設けられていなくてもよい。
【００５６】
防水庫４０は、内部に第二収容空間４６が形成され、第二収容空間４６が第一開口部１８に向かって開口する第二開口部４８を有する第二筐体４２と、第二筐体４２に設けられ、第二開口部４８を閉塞可能な第二扉４４と、第二筐体４２と第二扉４４との隙間から第二収容空間４６内への水の浸入を防止する防水部５０と、を備える。防水部５０は、第二開口部４８の周縁部５２と第二扉４４との間に設けられ、弾性変形可能な弾性部材５４と、第二扉４４が弾性部材５４を第二開口部４８に向かって押圧した状態を維持する押圧手段５６と、を有する。
【００５７】
本実施形態では、第二筐体４２は箱形に形成されており、その内部に第二収容空間４６が形成されている。第二筐体４２は前後方向Ｄｆにおける一方の端部であって第一開口部１８を向く端部４２Ａのみが開口するように構成されており、この端部４２Ａに第二開口部４８が形成されている。第二筐体４２の前後方向Ｄｆにおける他方の端部には、前後方向Ｄｆに対して略垂直な後部筐体壁４３Ｐが設けられている。また、第二開口部４８から後部筐体壁４３Ｐまで、上下方向Ｄｖに対して略垂直な上部筐体壁４３Ｔおよび下部筐体壁４３Ｂ、ならびに左右方向Ｄｈに対して略垂直な左側部筐体壁４３Ｌおよび右側部筐体壁４３Ｒがそれぞれ前後方向Ｄｆに沿って延びて形成されている。上部筐体壁４３Ｔ、下部筐体壁４３Ｂ、左側部筐体壁４３Ｌ、右側部筐体壁４３Ｒ、および後部筐体壁４３Ｐにより、第二筐体４２の筐体壁４３が構成されており、第二収容空間４６は、これら上部筐体壁４３Ｔ、下部筐体壁４３Ｂ、左側部筐体壁４３Ｌ、右側部筐体壁４３Ｒ、および後部筐体壁４３Ｐに囲まれて形成されている。第二筐体４２の材質として、例えば鋼材などの金属材を用いることができる。
【００５８】
第二筐体４２の内部には、左側部筐体壁４３Ｌを補強する左側部補強部材７８Ｌと、右側部筐体壁４３Ｒを補強する右側部補強部材７８Ｒと、が設けられている。左側部補強部材７８Ｌは、左側部筐体壁４３Ｌに設けられ、上下方向Ｄｖから見てハット形の断面を有し、上下方向Ｄｖに延びて形成されている。左側部補強部材７８Ｌは、凹み部７８ＬＡが左側部筐体壁４３Ｌを向くように配置されている。また、右側部補強部材７８Ｒは、右側部筐体壁４３Ｒに設けられ、上下方向Ｄｖから見てハット形の断面を有し、上下方向Ｄｖに延びて形成されている。右側部補強部材７８Ｒは、凹み部７８ＲＡが右側部筐体壁４３Ｒを向くように配置されている。また、左側部補強部材７８Ｌおよび右側部補強部材７８Ｒには、任意の棚を配置するために使用される複数の穴部７８ｈが上下方向Ｄｖに沿って形成されている。なお、左側部補強部材７８Ｌおよび右側部補強部材７８Ｒは、第二筐体４２に設けられていなくてもよい。
【００５９】
第二筐体４２の下部筐体壁４３Ｂの下側には、第一支持部材８０と第二支持部材８１とが設けられている。すなわち、第二筐体４２は、第一支持部材８０および第二支持部材８１を介して第一筐体１２の内部に設置されている。第一支持部材８０は、左右方向Ｄｈから見てハット形の断面を有し、左右方向Ｄｈに延びて形成されている。第一支持部材８０は、凹み部８０Ａが下部筐体壁４３Ｂを向くように配置されている。第二支持部材８１は、左右方向Ｄｈから見て溝形（略Ｃ字形）の断面を有し、左右方向Ｄｈに延びて形成されている。第二支持部材８１は、第二筐体４２の端部４２Ａにおける下部筐体壁４３Ｂの下側に設けられ、溝部８１Ａが第一筐体１２の下部筐体壁１２Ｂを向くように配置されている。なお、第二支持部材８１は、第二開口部４８の周縁部５２の下側部分５２Ｂを補強している。第一支持部材８０および第二支持部材８１の材質として、第二筐体４２と同様に、例えば鋼材などの金属材を用いることができる。
【００６０】
第二筐体４２は、上部筐体壁４３Ｔと第一筐体１２の上部筐体壁１２Ｔとの間に、規制部材２３Ｌおよび規制部材２３Ｒを配置可能な空間９０を形成するように配置されている。また、第二筐体４２は、後部筐体壁４３Ｐを第一筐体１２の後部筐体壁１２Ｐに固定することにより、第一筐体１２に固定されている。具体的には、図５に示すように、ボルト８２により第二筐体４２の後部筐体壁４３Ｐを第一筐体１２の後部筐体壁１２Ｐに固定している。なお、図６に示すように、ボルト８２には防水ワッシャ８３が設けられている。図６は、図５のＳ部分を拡大して示す図である。第二筐体４２の後部筐体壁４３Ｐにはボルト８２を挿通するための挿通孔４３Ｐｈが形成されている。このため、ボルト８２と挿通孔４３Ｐｈとの隙間から水が第二収容空間４６内に浸入する可能性がある。そこで、ボルト８２と後部筐体壁４３Ｐとの間に防水ワッシャ８３を設けることで、ボルト８２と挿通孔４３Ｐｈとの隙間を密閉し、この隙間から水が第二収容空間４６内に浸入することを防止することができる。
【００６１】
第二開口部４８には、第二収容空間４６が前後方向Ｄｆに第一開口部１８に向かって開口した開口４８Ａが形成されている。また、第二開口部４８は、第二筐体４２の端部４２Ａに設けられ、開口４８Ａを前後方向Ｄｆ回りに囲むように形成された周縁部５２を有する。周縁部５２は、図７および図８に示すように、第二扉４４が第二開口部４８を閉塞した状態において第二扉４４に対向する前面（第一面）５２ｆと、前面５２ｆとは前後方向Ｄｆに反対側の背面（第二面）５２ｂと、を有する。図７は、図４のＰ部分を拡大して示す図である。図８は、図４のＱ部分を拡大して示す図である。また、周縁部５２の背面５２ｂは、第二収容空間４６に面している。
【００６２】
第二筐体４２の端部４２Ａには、第二扉４４が設けられている。本実施形態では、第二扉４４は片開き扉であり、第二開口部４８の開口４８Ａの全体を閉塞可能であるように構成されている。第二扉４４は、第二筐体４２の端部４２Ａにおける左右方向Ｄｈの右側端部４２ＡＲに支持されている。より詳細には、図８に示すように、防水庫４０には、第二扉４４の右側端部４４Ｒと第二筐体４２の右側端部４２ＡＲとを接続する蝶番４５が設けられている。蝶番４５は、上下方向Ｄｖに平行な回動中心Ｏ４５を有する。よって、第二扉４４の右側端部４４Ｒは、蝶番４５を介して回動中心Ｏ４５回りに回動可能に第二筐体４２の右側端部４２ＡＲに支持されている。
【００６３】
第二扉４４の材質として、第二筐体４２と同様に、例えば鋼材などの金属材を用いることができる。また、第二扉４４は、フラッシュ構造により構成されている。これにより、製作コストを抑えつつ耐水圧性能を高めることができる。
【００６４】
第二開口部４８の周縁部５２と第二扉４４との間には、弾性変形可能な弾性部材５４が設けられている。本実施形態では、弾性部材５４は、周縁部５２の前面５２ｆに設けられている。また、弾性部材５４は、第二開口部４８の開口４８Ａを囲む周縁部５２の全周に渡って設けられている。弾性部材５４の材質として、例えばシリコンゴムを用いることができる。
【００６５】
弾性部材５４は、後述する押圧手段５６の作用によって第二扉４４により第二開口部４８に向かって押圧される。これにより、弾性部材５４は前後方向Ｄｆに収縮するように弾性変形する。これに伴い弾性部材５４には元の形状に戻ろうとする復元力が働く。これにより、第二開口部４８の周縁部５２と第二扉４４との間を密閉することができ、第二収容空間４６内への水の浸入を防止することができる。
【００６６】
上述のように弾性部材５４が押圧される際に過大な押圧力が加えられると、弾性部材５４は弾性部材５４の弾性限度を超えて塑性変形してしまう可能性がある。この場合には、弾性部材５４により第二開口部４８の周縁部５２と第二扉４４との間を密閉することができなくなる可能性がある。これを防止するため、第二筐体４２には、弾性部材５４に並列するように配置された補強部材（第一補強部材）５８が設けられている。補強部材５８は、弾性部材５４の剛性よりも大きい剛性を有する。補強部材５８の材質として、例えば鋼材などの金属材を用いることができる。
【００６７】
補強部材５８は、第二扉４４が第二開口部４８を閉塞した状態において第二扉４４と対向する位置で周縁部５２の前面５２ｆから前後方向Ｄｆに第一開口部１８に向かって延出している。本実施形態では、図７から図９に示すように、補強部材５８は、左側補強部材（第一補強部材）５８Ｌ、右側補強部材（第一補強部材）５８Ｒ、および上側補強部材（第一補強部材）５８Ｔを有する。なお、図９は、図５のＲ部分を拡大して示す図である。左側補強部材５８Ｌは、周縁部５２の左側部分５２Ｌにおいて弾性部材５４の開口４８Ａ側に隣接して、周縁部５２の下側部分５２Ｂから上側部分５２Ｔまで上下方向Ｄｖに延びて設けられている。右側補強部材５８Ｒは、周縁部５２の右側部分５２Ｒにおいて弾性部材５４の開口４８Ａ側に隣接して、周縁部５２の下側部分５２Ｂから上側部分５２Ｔまで上下方向Ｄｖに延びて設けられている。上側補強部材５８Ｔは、周縁部５２の上側部分５２Ｔにおいて弾性部材５４の開口４８Ａ側に隣接して、周縁部５２の左側部分５２Ｌから右側部分５２Ｒまで左右方向Ｄｈに延びて設けられている。通常の使用時に弾性部材５４が前後方向Ｄｆへ収縮するように弾性変形することを考慮して、弾性変形していない状態における弾性部材５４の前後方向Ｄｆの寸法は、周縁部５２の前面５２ｆから延出した補強部材５８（左側補強部材５８Ｌ、右側補強部材５８Ｒ、上側補強部材５８Ｔ）の前後方向Ｄｆの寸法よりも大きくなっている。
【００６８】
本実施形態では、図２および図７に示すように、押圧手段５６は、第二扉４４に設けられたハンドル部６０と、第二筐体４２に設けられ、ハンドル部６０と係合可能なハンドル受け部６６と、を備える。ハンドル部６０は、第二扉４４の第一開口部１８に向かう面である前面４４ｆにおいて左側端部４４Ｌに設けられている。ハンドル部６０は、ハンドル本体６１と、ハンドル本体６１を回動可能に支持する支持部６２と、を有する。ハンドル本体６１は、把持部６１Ａと、当接部６１Ｂと、把持部６１Ａと当接部６１Ｂとの間に配置された係合穴部６１Ｃと、を有する。把持部６１Ａは、使用者がハンドル部６０を操作する際に把持できるように構成されている。当接部６１Ｂは、中央部６１Ｂａと、第一開口部１８に向かう面であって中央部６１Ｂａの両側から第二扉４４の前面４４ｆに向かって延びる傾斜面６１Ｂｂと、を有する。当接部６１Ｂは、ハンドル受け部６６の係合片６６Ａと係合する。係合穴部６１Ｃは、支持部６２に設けられ、第二扉４４の前面４４ｆに垂直な方向に延びる軸体６２Ａに回動可能に係合する。軸体６２Ａは、第二扉４４の前面４４ｆに垂直な方向に平行な回動中心Ｏ６２Ａを有する。よって、ハンドル本体６１は、回動中心Ｏ６２Ａを中心に回動する。また、支持部６２は、第二扉４４の前面４４ｆにボルト６３により固定されている。ボルト６３と第二扉４４との隙間に水が浸入することを防ぐため、支持部６２と第二扉４４の前面４４ｆとの間には防水ワッシャ６４が設けられている。支持部６２は、ハンドル本体６１の当接部６１Ｂが第二扉４４の左側端部４４Ｌから左右方向Ｄｈに突出可能となるように、第二扉４４の前面４４ｆに配置されている。
【００６９】
ハンドル受け部６６は、第二筐体４２の周縁部５２の左側部分５２Ｌにおいて、ハンドル本体６１と係合可能な位置に設けられている。ハンドル受け部６６は、左右方向Ｄｈに周縁部５２の右側部分５２Ｒに向かって突出して形成された係合片６６Ａを有する。係合片６６Ａは、周縁部５２を向いており、当接部６１Ｂと当接する面６６Ａａを有する。係合片６６Ａは、係合片６６Ａの面６６Ａａと当接部６１Ｂの中央部６１Ｂａとが当接した状態において第二扉４４が弾性部材５４を前後方向Ｄｆに押圧するように、前後方向Ｄｆの配置が設定されている。したがって、第二開口部４８を第二扉４４で閉塞した状態でハンドル本体６１を回動中心Ｏ６２Ａ回りに回動させて、ハンドル本体６１の当接部６１Ｂとハンドル受け部６６の係合片６６Ａとを係合させることで、第二扉４４が弾性部材５４を第二開口部４８に向かって押圧した状態を維持することができる。なお、ハンドル部６０およびハンドル受け部６６の構成は、公知の密閉用ハンドルの構成を採用してもよい。
【００７０】
押圧手段５６は上述のように構成されて防水庫４０に設けられているため、第一扉１３で第一開口部１８を閉塞する前に、第二扉４４で第二開口部４８を閉塞した状態を視認することができる。よって、より確実に、第二開口部４８の周縁部５２と第二扉４４との間を密閉することができる。
【００７１】
防水庫４０において、浸水時には、一次的には主として第二扉４４に水圧が加えられる。しかし、第二扉４４は弾性部材５４を介して第二開口部４８に前後方向Ｄｆに支持されているため、第二開口部４８に対しても水圧が加えられることになる。このため、本実施形態では、第二開口部４８の周縁部５２を補強する補強部材（第二補強部材）７０が第二筐体４２に設けられている。
【００７２】
補強部材７０は、第一補強部７２と第二補強部７４とを有する。第一補強部７２は、第一端７２Ａが周縁部５２の背面５２ｂに固定され、第二端７２Ｂが第二筐体４２の筐体壁４３における第二収容空間４６側の面に固定され、第一端７２Ａから第二端７２Ｂに延びて形成されている。本実施形態では、第一補強部７２は、周縁部５２の左側部分５２Ｌ、右側部分５２Ｒ、および上側部分５２Ｔにそれぞれ設けられている。図７に示すように、左側第一補強部７２Ｌは、周縁部５２の左側部分５２Ｌにおいて、第一端７２ＬＡが背面５２ｂに固定され、第二端７２ＬＢが左側部筐体壁４３Ｌにおける第二収容空間４６側の面４３Ｌａに固定され、第一端７２ＬＡから第二端７２ＬＢに延びて形成されている。図８に示すように、右側第一補強部７２Ｒは、周縁部５２の右側部分５２Ｒにおいて、第一端７２ＲＡが背面５２ｂに固定され、第二端７２ＲＢが右側部筐体壁４３Ｒにおける第二収容空間４６側の面４３Ｒａに固定され、第一端７２ＲＡから第二端７２ＲＢに延びて形成されている。図９に示すように、上側第一補強部７２Ｔは、周縁部５２の上側部分５２Ｔにおいて、第一端７２ＴＡが背面５２ｂに固定され、第二端７２ＴＢが上部筐体壁４３Ｔにおける第二収容空間４６側の面４３Ｔａに固定され、第一端７２ＴＡから第二端７２ＴＢに延びて形成されている。上述のように構成された第一補強部７２により、第二開口部４８の前後方向Ｄｆに対する剛性を高めることができる。
【００７３】
また、第二補強部（補強部）７４は、第一補強部７２の第一端７２Ａから周縁部５２の背面５２ｂ上を第二筐体４２の筐体壁４３に向かって延びて形成され、筐体壁４３と接触する第三端７５Ａを有する第一部分７５と、第一部分７５の第三端７５Ａから筐体壁４３における第二収容空間４６側の面上を第一補強部７２の第二端７２Ｂまで延びて形成された第二部分７６と、を有する。本実施形態では、第一補強部７２と同様に、第二補強部７４は、周縁部５２の左側部分５２Ｌ、右側部分５２Ｒ、および上側部分５２Ｔにそれぞれ設けられている。図７に示すように、左側第二補強部７４Ｌは、周縁部５２の左側部分５２Ｌにおいて、左側第一補強部７２Ｌの第一端７２ＬＡから背面５２ｂ上を左側部筐体壁４３Ｌに向かって延びて形成され、左側部筐体壁４３Ｌと接触する第三端７５ＬＡを有する第一部分７５Ｌと、第三端７５ＬＡから左側部筐体壁４３Ｌの面４３Ｌａ上を左側第一補強部７２Ｌの第二端７２ＬＢまで延びて形成された第二部分７６Ｌ、とを有する。さらに、第一部分７５Ｌは、第一端７２ＬＡから背面５２ｂ上を開口４８Ａに向かって延びる延伸部７５ＬＥを有する。また、左側第二補強部７４Ｌは、下部筐体壁４３Ｂから周縁部５２の上側部分５２Ｔまで上下方向Ｄｖに延びて形成されている。図８に示すように、右側第二補強部７４Ｒは、周縁部５２の右側部分５２Ｒにおいて、右側第一補強部７２Ｒの第一端７２ＲＡから背面５２ｂ上を右側部筐体壁４３Ｒに向かって延びて形成され、右側部筐体壁４３Ｒと接触する第三端７５ＲＡを有する第一部分７５Ｒと、第三端７５ＲＡから右側部筐体壁４３Ｒの面４３Ｒａ上を右側第一補強部７２Ｒの第二端７２ＲＢまで延びて形成された第二部分７６Ｒ、とを有する。さらに、第一部分７５Ｒは、第一端７２ＲＡから背面５２ｂ上を開口４８Ａに向かって延びる延伸部７５ＲＥを有する。また、右側第二補強部７４Ｒは、下部筐体壁４３Ｂから周縁部５２の上側部分５２Ｔまで上下方向Ｄｖに延びて形成されている。図９に示すように、上側第二補強部７４Ｔは、周縁部５２の上側部分５２Ｔにおいて、上側第一補強部７２Ｔの第一端７２ＴＡから背面５２ｂ上を上部筐体壁４３Ｔに向かって延びて形成され、上部筐体壁４３Ｔと接触する第三端７５ＴＡを有する第一部分７５Ｔと、第三端７５ＴＡから上部筐体壁４３Ｔの面４３Ｔａ上を上側第一補強部７２Ｔの第二端７２ＴＢまで延びて形成された第二部分７６Ｔ、とを有する。さらに、第一部分７５Ｔは、第一端７２ＴＡから背面５２ｂ上を開口４８Ａに向かって延びる延伸部７５ＴＥを有する。また、上側第二補強部７４Ｔは、周縁部５２の左側部分５２Ｌから右側部分５２Ｒまで左右方向Ｄｈに延びて形成されている。上述のように構成された第二補強部７４により、第二開口部４８の前後方向Ｄｆに対する剛性を高めることができる。
【００７４】
なお、本実施形態では、第二補強部７４と補強部材５８とは一体に形成されている。図７に示すように、左側補強部材５８Ｌは、左側第二補強部７４Ｌの延伸部７５ＬＥから前後方向Ｄｆに延びて形成されている。図８に示すように、右側補強部材５８Ｒは、左側第二補強部７４Ｒの延伸部７５ＲＥから前後方向Ｄｆに延びて形成されている。図９に示すように、上側補強部材５８Ｔは、上側第二補強部７４Ｔの延伸部７５ＴＥから前後方向Ｄｆに延びて形成されている。なお、第二補強部７４と補強部材５８とは一体に形成されていなくてもよい。
【００７５】
また、周縁部５２の下側部分５２Ｂの背面５２ｂには、下部筐体壁４３Ｂの下側に設けられた第二支持部材８１が背面５２ｂに当接するように配置されている。これにより、周縁部５２の下側部分５２Ｂの前後方向Ｄｆに対する剛性を高めることができる。
【００７６】
本実施形態に係る二重保管庫１によれば、保管すべき収容物が収容される防水庫４０は耐火庫１０の第一収容空間１６内に配置されているため、二重保管庫１は耐火性を有する。同時に、耐火庫１０により第一収容空間１６内に配置された防水庫４０に向かう水の勢いが妨げられるため、防水庫４０の防水性を高めることができる。また、防水庫４０の防水部５０により収容物が収容される第二収容空間４６内への水の浸入が防止されるため、内部の収容物を防水することができる。
【００７７】
また、防水部５０は、第二開口部４８の周縁部５２と第二扉４４との間に設けられ、弾性変形可能な弾性部材５４と、第二扉４４が弾性部材５４を第二開口部４８に向かって押圧した状態を維持する押圧手段５６と、を有する。したがって、弾性部材５４が押圧されることにより第二開口部４８の周縁部５２と第二扉４４との間を密閉し、押圧手段５６により第二扉４４が弾性部材５４を第二開口部４８に向かって押圧した状態が維持されるため、第二筐体４２と第二扉４４との隙間から第二収容空間４６内への水の浸入を防止することができる。
【００７８】
また、弾性部材５４の剛性よりも大きい剛性を有する補強部材５８が弾性部材５４に並列するように第二筐体４２に設けられ、補強部材５８は、第二扉４４が第二開口部４８を閉塞した状態において第二扉４４と対向する位置で周縁部５２の前面５２ｆから前後方向Ｄｆに第一開口部１８に向かって延出している。さらに、弾性変形していない状態における弾性部材５４の前後方向Ｄｆの寸法は、補強部材５８の前面５２ｆから延出した前後方向Ｄｆの寸法より大きい。したがって、第二扉４４により過大な力で弾性部材５４が第二開口部４８に向かって押圧された場合に、弾性部材５４が前後方向Ｄｆに収縮するように所定量弾性変形すると、第二扉４４は補強部材５８と接触する。これにより、弾性部材５４がそれ以上弾性変形することが防止されるため、弾性部材５４が塑性変形するなど意図しない変形を防止することができる。
【００７９】
また、第二筐体４２は、第一端７２Ａが周縁部５２の背面５２ｂに固定され、第二端７２Ｂが筐体壁４３における第二収容空間４６側の面に固定され、第一端７２Ａから第二端７２Ｂに延びて形成された補強部材７０を有する。したがって、補強部材７０により第二開口部４８の周縁部５２が補強されるため、第二開口部４８の剛性を高めることができる。これによって、第二筐体４２と第二扉４４との間に隙間が生じるなどの問題が発生することを防止し、第二筐体内４２への水の浸入をより確実に防止することができる。
【００８０】
また、補強部材７０は、第一端７２Ａから背面５２ｂ上を筐体壁４３に向かって延びて形成され、筐体壁４３と接触する第三端７５Ａを有する第一部分７５と、第一部分７５の第三端７５Ａから筐体壁４３の面上を第二端７２Ｂまで延びて形成された第二部分７６と、を有する第二補強部７４を有する。したがって、第二補強部７４を有する補強部材７０により第二開口部４８の周縁部５２が補強されるため、第二開口部４８の剛性を高めることができる。これによって、第二筐体４２と第二扉４４との間に隙間が生じるなどの問題が発生することを防止し、第二筐体内４２への水の浸入をより確実に防止することができる。
【００８１】
また、弾性部材５４は第二開口部４８の開口４８Ａを囲む周縁部５２の全周に渡って設けられているため、弾性部材５４により第二筐体４２と第二扉４４との間を隙間なく密閉することができる。このため、第二筐体４２内への水の浸入をより確実に防止することができる。
【００８２】
また、第一扉１３の第一合わせ面１３Ｓは、第一開口部１８に沿う複数の面２５により段状に構成され、第一開口部１８の第二合わせ面１８Ｓは、第一合わせ面１３Ｓに係合する段状に構成されている。したがって、第一扉１３が第一開口部１８を閉塞した状態において第一合わせ面１３Ｓと第二合わせ面１８Ｓとの間に形成される隙間３１は、耐火庫１０の外部から第一収容空間１６に向かって直線状ではなく、ジグザグ状に形成される。これにより、流体が隙間３１を耐火庫１０の外部から第一収容空間１６に向かって通過する際に流体に対して加えられる抵抗が大きくなるため、火災時に隙間３１から第一収容空間１６に向かって侵入する火炎の勢いや浸水時に隙間３１から第一収容空間１６に向かって浸入する水の勢いを低減することができる。
【００８３】
また、第一扉１３は左扉体１４と右扉体１５とから構成される両開き扉であって、左扉体１４の右側部合わせ面１４ＳＲは、複数の面３０により段状に構成され、右扉体１５の左側部合わせ面１５ＳＬは、右側部合わせ面１４ＳＲに係合する段状に構成されている。したがって、第一扉１３が第一開口部１８を閉塞した状態において左側部合わせ面１５ＳＬと右側部合わせ面１４ＳＲとの間に形成される隙間３２は、耐火庫１０の外部から第一収容空間１６に向かって直線状ではなく、ジグザグ状に形成される。これにより、流体が隙間３２を耐火庫１０の外部から第一収容空間１６に向かって通過する際に流体に対して加えられる抵抗が大きくなるため、火災時に隙間３２から第一収容空間１６に向かって侵入する火炎の勢いや浸水時に隙間３２から第一収容空間１６に向かって浸入する水の勢いを低減することができる。
【００８４】
また、第二扉４４はフラッシュ構造により構成されているため、製作コストを抑えつつ耐水圧性能を高めることができる。
【００８５】
なお、上述した実施形態では、第一扉１３は両開き扉であるとして説明したが、第一扉１３は公知の構成を有する片開き扉であってもよい。
【００８６】
（変形例）
図１０は、本実施形態に係る二重保管庫１の変形例を示す図である。図１０は、変形例の二重保管庫２において、図７に示された断面に対応する断面を示している。図１０に示す二重保管庫２は、押圧手段５６に代えて、押圧手段１５６を備えている点で、二重保管庫１と異なっている。なお、二重保管庫１と同様の構成を有する部分については同一の符号を付して示し、その詳細な説明を省略する。
【００８７】
押圧手段１５６は、第二扉４４に回動可能に設けられたハンドル部６０と、第二筐体に設けられ、ハンドル部６０と係合可能なハンドル受け部６６と、ハンドル部６０とハンドル受け部６６とが係合した状態におけるハンドル部６０とハンドル受け部６６との前後方向Ｄｆの相対位置を調整可能な位置調整手段９１と、を有する。本実施形態において、位置調整手段９１は、ハンドル部６０に着脱可能に設けられた第一調整部材９２と、ハンドル受け部６６に着脱可能に設けられた第二調整部材９３と、を有する。
【００８８】
第一調整部材９２および第二調整部材９３は、板状部材で構成されている。第一調整部材９２には、その厚さ方向にボルト６３を挿通可能な図示しない挿通孔が形成されている。第一調整部材は、その厚さ方向を回動中心Ｏ６２Ａに沿う方向に合わせて、支持部６２と防水ワッシャ６４との間に配置されている。また、第二調整部材９３は、その厚さ方向が前後方向Ｄｆと合うように、支持部６２と第二筐体４２の周縁部５２の左側部分５２Ｌに固定された基部９４との間に配置されている。支持部６２は、図示しないボルトなどにより基部９４に固定されており、第二調整部材９３には、その厚さ方向にこのボルトを挿通可能な図示しない挿通孔が形成されている。
【００８９】
上述のように構成された位置調整手段９１により、第一調整部材９２をハンドル部６０から取り外すことで、ハンドル部６０における回動中心Ｏ６２Ａに沿う方向の寸法を第一調整部材９２の厚さ方向の寸法の分だけ小さくすることができる。また、第二調整部材９３をハンドル受け部６６から取り外すことで、ハンドル受け部６６における前後方向Ｄｆの寸法を第二調整部材９３の厚さ方向の寸法の分だけ小さくすることができる。よって、第一調整部材９２および第二調整部材９３のいずれか一方または両方を、それぞれハンドル部６０およびハンドル受け部６６から取り外すことで、ハンドル部６０とハンドル受け部６６とが係合した状態におけるハンドル部６０とハンドル受け部６６との前後方向Ｄｆの相対位置を適宜調整することができる。このため、使用による劣化などにより弾性部材５４の前後方向Ｄｆの寸法が小さくなった場合でも、位置調整手段９１によりハンドル部６０とハンドル受け部６６とが係合した状態におけるハンドル部６０とハンドル受け部６６との前後方向Ｄｆの相対位置を調整することで、押圧手段１５６は第二扉４４が弾性部材５４を第二開口部４８に向かって押圧した状態を維持することができる。したがって、第二開口部４８の周縁部５２と第二扉４４との隙間を確実に密閉することができる。
【００９０】
なお、位置調整手段９１は上述した構成に限られず、ハンドル部６０とハンドル受け部６６とが係合した状態におけるハンドル部６０とハンドル受け部６６との前後方向Ｄｆの相対位置を調整可能な構成であればよい。
【００９１】
（第二実施形態）
次に、本発明の第二実施形態について、図１１を参照して説明する。
【００９２】
図１１は、本実施形態に係る二重保管庫３を示す図である。図１１は、二重保管庫３において、図５に示された断面に対応する断面の上部を示している。二重保管庫３は、第二筐体４２を第一筐体１２に対して固定する固定手段１００をさらに備える点で、第一実施形態に係る二重保管庫１と異なっている。なお、第一実施形態に係る二重保管庫１と同様の構成を有する部分については同一の符号を付して示し、その詳細な説明を省略する。
【００９３】
固定手段１００は、第一収容空間１６内において第二筐体４２の上側に設けられ、第二筐体４２を第一筐体１２に対して固定するように構成されている。本実施形態では、固定手段１００は、第一収容空間１６のうち空間９０内であって、前後方向Ｄｆにおいて規制部材２３Ｌの後方に配置されている。固定手段１００は、ベース部材１０１と、固定部材１０２と、を有する。
【００９４】
ベース部材１０１は、前後方向Ｄｆおよび左右方向Ｄｈに延びる板状部材から構成され、溶接などにより第二筐体４２の上部筐体壁４３Ｔの第一収容空間１６側の面４３Ｔｂ上に固定されている。ベース部材１０１は、前端部１０１Ａと、後端部１０１Ｂと、前端部１０１Ａと後端部１０１Ｂとの間に配置された支持部１０１Ｃと、を有する。前端部１０１Ａは、後述する第一カバー部材１０３と係合可能な隙間を上部筐体壁４３Ｔの面４３Ｔｂとの間に形成するように設けられた係合片１０１Ｄを有する。後端部１０１Ｂは、固定部材１０２に接続されている。支持部１０１Ｃは、左右方向Ｄｈから見て略逆Ｕ字形状の断面を有し、第一筐体１２の上面１２ｔに向かって突出するように形成されている。また、支持部１０１Ｃは、平坦な上面１０１Ｃａを有する。
【００９５】
固定部材１０２は、当接部１０２Ａと、シャフト部１０２Ｂと、固定ナット１０２Ｃと、移動ナット１０２Ｄと、を有する。当接部１０２Ａは、上面１０２Ａａから下面１０２Ａｂに向かって径が小さくなる略円錐台形状に形成されている。上面１０２Ａａは、第一筐体１２の上面１２ｔと当接し、下面１０２Ａｂは、シャフト部１０２Ｂの上端部１０２Ｂａに接続されている。シャフト部１０２Ｂは、上下方向Ｄｖに沿って延びる棒状に形成され、表面に固定ナット１０２Ｃおよび移動ナット１０２Ｄが螺合するネジ山が形成されている。固定ナット１０２Ｃは、内部にシャフト部１０２Ｂに螺合可能なネジ穴（不図示）が形成されており、シャフト部１０２Ｂが螺合している。また、固定ナット１０２Ｃは、ベース部材１０１の後端部１０１Ｂに溶接などにより固定されている。移動ナット１０２Ｄは、内部にシャフト部１０２Ｂに螺合可能なネジ穴（不図示）が形成されている。また、移動ナット１０２Ｄは、固定ナット１０２Ｃよりも上方に配置されて、シャフト部１０２Ｂに螺合している。
【００９６】
上述のように構成された固定手段１００では、固定ナット１０２Ｃに螺合されたシャフト部１０２Ｂを軸回りに回転させることにより、固定ナット１０２Ｃに対する上下方向Ｄｖにおける当接部１０２Ａの位置を移動させることができる。すなわち、固定ナット１０２Ｃはベース部材１０１の後端部１０１Ｂを介して第二筐体４２の上部筐体壁４３Ｔに固定されているため、上部筐体壁４３Ｔに対して当接部１０２Ａを上下方向Ｄｖに移動させることができる。よって、シャフト部１０２Ｂを軸回りに回転させて、当接部１０２Ａの上面１０２Ａａが第一筐体１２の上面１２ｔに当接して押圧するとともに固定ナット１０２Ｃがベース部材１０１を介して上部筐体壁４３Ｔの面４３Ｔｂを押圧するように固定部材１０２を調整することで、第二筐体４２を第一筐体１２に上下方向Ｄｖの下向きに押し付けることができる。これにより、第二筐体４２を第一筐体１２に対して固定することができる。
【００９７】
本実施形態では、固定部材１０２は、上部筐体壁４３Ｔの面４３Ｔｂ上において前後方向Ｄｆの中間部位に設けられている。また、固定部材１０２は、左右方向Ｄｈに離間して二つ設けられている。しかしながら、固定部材１０２の配置や数は上述の構成に限られず、適宜変更してもよい。
【００９８】
また、二重保管庫３には、第一収容空間１６内において第二筐体４２の上側に配置され、固定手段１００を覆う第一カバー部材１０３および第二カバー部材１０４が設けられている。第一カバー部材１０３および第二カバー部材１０４は、第二筐体４２の左側部筐体壁４３Ｌの面４３Ｌａから右側部筐体壁４３Ｒの面４３Ｒａまで左右方向Ｄｈに延びて設けられている。
【００９９】
第一カバー部材１０３は、板状部材から構成され、前後方向Ｄｆに延びる第一部分１０３Ａと、第一部分１０３Ａの後端から上下方向Ｄｖに延びる第二部分１０３Ｂと、第一部分１０３Ａの前端から上下方向Ｄｖに延びる係合爪部１０３Ｃと、を有する。第一部分１０３Ａは、ベース部材１０１の支持部１０１Ｃの上面１０１Ｃａ上に配置されている。第二部分１０３Ｂは、第二カバー部材１０４と当接している。係合爪部１０３Ｃは、左右方向Ｄｈから見てＬ字形状の断面を有する。係合爪部１０３Ｃは、係合爪部１０３Ｃのうち前後方向Ｄｆに延びる部分がベース部材１０１の係合片１０１Ｄと上部筐体壁４３Ｔの面４３Ｔｂとの隙間に挿入されて、係合片１０１Ｄと係合している。
【０１００】
第二カバー部材１０４は、左右方向Ｄｈから見てＬ字形状の断面を有する板状部材から構成され、上下方向Ｄｖに延びる第一部分１０４Ａと、前後方向Ｄｆに延びる第二部分１０４Ｂと、を有する。第二カバー部材１０４は、規制部材２３Ｌおよび規制部材２３Ｒから前後方向Ｄｆに離間して配置されている。第一部分１０４Ａは、第一カバー部材１０３の第二部分１０３Ｂと前後方向Ｄｆに当接している。なお、第一部分１０４Ａは、第一カバー部材１０３の第二部分１０３Ｂに接着剤などにより固定されていてもよい。第二部分１０４Ｂは、第一筐体１２の上部筐体壁１２Ｔの上面１２ｔに接着剤などにより固定されている。
【０１０１】
上述のように構成された第一カバー部材１０３および第二カバー部材１０４により固定手段１００が覆われるため、第一筐体１２の内部における二重保管庫３の外観の体裁を良好にすることができる。
【０１０２】
また、二重保管庫３では、第二筐体４２は固定手段１００により第一筐体１２に対して固定されている。このため、第一実施形態に係る二重保管庫１とは異なり、本実施形態に係る二重保管庫３では、第二筐体４２にボルト８２および防水ワッシャ８３は設けられておらず、第二筐体４２の後部筐体壁４３Ｐにボルト８２を挿通するための挿通孔４３Ｐｈは形成されていない。よって、挿通孔４３Ｐｈから第二筐体４２の内部に水が浸入する可能性を排除することができる。
【０１０３】
本実施形態に係る二重保管庫３は、第一収容空間１６内において第二筐体４２の上側に設けられ、第二筐体４２を第一筐体１２に対して固定する固定手段１００をさらに備える。このため、第二筐体４２の自重のみにより第一筐体１２に対して固定される場合に比べて、第二筐体４２をより確実に第一筐体１２に固定することができる。
【０１０４】
以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【０１０５】
１、２、３  二重保管庫
１０  耐火庫
１２  第一筐体
１３  第一扉
１６  第一収容空間
１８  第一開口部
４０  防水庫
４２  第二筐体
４４  第二扉
４６  第二収容空間
４８  第二開口部
５０  防水部
５２  周縁部
５４  弾性部材
５６、１５６  押圧手段
９１  位置調整手段
１００  固定手段
【図１】
0006623487.tif 000002
【図２】
0006623487.tif 000003
【図３】
0006623487.tif 000004
【図４】
0006623487.tif 000005
【図５】
0006623487.tif 000006
【図６】
0006623487.tif 000007
【図７】
0006623487.tif 000008
【図８】
0006623487.tif 000009
【図９】
0006623487.tif 000010
【図１０】
0006623487.tif 000011
【図１１】
0006623487.tif 000012